(57)【要約】【課題】出力回路の出力部の電圧降下を抑制すると共に、出力回路の入力部へ帰還される出力信号の位相の遅れを抑制することができる。【解決手段】入力信号が入力されたオペアンプ３０の出力端子（ＯＵＴ）から出力されたデータ信号の交流成分は、コンデンサ３４を介して負帰還されてオペアンプ３０の反転入力端子へ入力される。また、オペアンプ３０の出力端子（ＯＵＴ）から出力されたデータ信号の直流成分は、第２の保護抵抗３６によって電圧降下し、入力信号と同電位の出力信号となって出力パッド２８を介して対応するデータ線２０へ入力されると共に、第１の保護抵抗３２を介してオペアンプ３０の反転入力端子へ入力される。【選択図】図２
2010226692.tif 000002
【特許請求の範囲】
【請求項１】
インピーダンスを変換するインピーダンス変換手段と、
一端が前記インピーダンス変換手段の出力端に接続され、かつ他端が負荷に接続される第１の抵抗と、
一端が前記第１の抵抗の他端に接続され、かつ他端が前記インピーダンス変換手段の帰還入力に接続された第２の抵抗と、
一端が前記インピーダンス変換手段の出力端に接続され、かつ他端が前記インピーダンス変換手段の前記帰還入力に接続されたコンデンサと、
を含む出力回路。
【請求項２】
前記第１の抵抗及び前記第２の抵抗は、蓄積された静電気に対する保護抵抗である請求項１記載の出力回路。
【請求項３】
前記インピーダンス変換手段は、オペアンプであり、前記帰還入力は、前記オペアンプの反転入力端である請求項１または請求項２記載の出力回路。
【請求項４】
請求項１〜請求項３のいずれか１項記載の出力回路を複数備え、
前記インピーダンス変換手段は、出力端から出力された信号に従って、前記負荷としての表示装置を駆動するドライバであることを特徴とする表示装置の駆動回路。
【請求項５】
前記表示装置は、前記インピーダンス変換手段の出力端から出力された信号に応じて流れる電流で駆動される表示装置である請求項４記載の表示装置の駆動回路。
【請求項６】
前記表示装置は、液晶表示装置である請求項５記載の表示装置の駆動回路。
【発明の詳細な説明】
【技術分野】
【０００１】
本発明は、出力回路及び表示装置の駆動回路に係り、特にＦＥＤ（電界放出ディスプレイ）等の表示装置の駆動回路に設けられている出力回路、及び表示装置の駆動回路に関する。
【背景技術】
【０００２】
従来の表示装置の駆動回路に設けられている出力回路では、オペアンプの出力部と帰還部との間にＥＳＤ（静電気放電）保護抵抗を設けて、オペアンプを静電気放電から保護すると共に、ＥＳＤ保護抵抗による出力部の電圧降下を抑制することが行われている（特許文献１）。
【先行技術文献】
【特許文献】
【０００３】
【特許文献１】特開２００５−２０１９７４号公報
【発明の概要】
【発明が解決しようとする課題】
【０００４】
しかしながら、特許文献１に記載の表示装置の駆動回路に設けられている出力回路では、オペアンプの寄生容量及びＥＳＤ保護抵抗によって、オペアンプの入力部へ帰還される出力信号の位相が遅れ、出力信号が発振し易くなる、という問題がある。
【０００５】
本発明は、上記問題点を解決するためになされたもので、ＥＳＤ保護抵抗による出力部の電圧降下を抑制すると共に、出力回路の入力部へ帰還される出力信号の位相の遅れを抑制し、出力回路の発振安定性を維持することができる出力回路及び表示装置の駆動回路を提供することを目的とする。
【課題を解決するための手段】
【０００６】
上記目的を達成するために請求項１記載の発明に係る出力回路は、インピーダンスを変換するインピーダンス変換手段と、一端が前記インピーダンス変換手段の出力端に接続され、かつ他端が負荷に接続される第１の抵抗と、一端が前記第１の抵抗の他端に接続され、かつ他端が前記インピーダンス変換手段の帰還入力に接続された第２の抵抗と、一端が前記インピーダンス変換手段の出力端に接続され、かつ他端が前記インピーダンス変換手段の前記帰還入力に接続されたコンデンサと、を含んで構成されている。
【０００７】
請求項１の発明によれば、インピーダンス変換手段の出力端を第１の抵抗の一端及びコンデンサの一端と接続し、第１の抵抗の他端を負荷及び第２の抵抗の一端と接続し、第２の抵抗の他端及びコンデンサの他端をインピーダンス変換手段の帰還入力に接続することで、インピーダンス変換手段の帰還入力へ入力される信号の位相の遅れを抑制することができる。
【０００８】
また、請求項２の発明に係る出力回路は、前記第１の抵抗及び前記第２の抵抗を、蓄積された静電気に対する保護抵抗としている。
【０００９】
請求項２の発明によれば、第１の抵抗及び第２の抵抗を保護抵抗としているため、インピーダンス変換手段を静電気放電による破壊から保護することができる。
【００１０】
また、請求項３の発明に係る出力回路は、前記インピーダンス変換手段は、オペアンプであり、前記帰還入力は、前記オペアンプの反転入力端である。
【００１１】
請求項３の発明によれば、負荷へ出力される信号の電位をオペアンプへ入力される入力信号と同電位にすることができる。
【００１２】
また、請求項４の発明に係る表示装置の駆動回路は、出力回路を複数備え、前記インピーダンス変換手段は、出力端から出力された信号に従って、前記負荷としての表示装置を駆動するドライバである。
【００１３】
請求項４の発明によれば、出力回路を複数用いて、インピーダンス変換手段の出力端から出力された信号に従って、負荷としての表示装置を駆動することができる。
【００１４】
また、請求項５の発明に係る表示装置の駆動回路は、前記表示装置は、前記インピーダンス変換手段の出力端から出力された信号に応じて流れる電流で駆動される表示装置である。
【００１５】
請求項５の発明によれば、表示装置をインピーダンス変換手段の出力端から出力される信号に応じて流れる電流で駆動させることができる。
【００１６】
また、請求項６の発明に係る表示装置の駆動回路は、前記表示装置は、液晶表示装置である。
【００１７】
請求項６の発明によれば、液晶表示装置の液晶素子の光透過率を変化させて、光を透過または遮光することができる。
【発明の効果】
【００１８】
以上説明したように請求項１の発明によれば、インピーダンス変換手段の出力端に第１の抵抗の一端及びコンデンサの一端を接続し、第１の抵抗の他端に負荷及び第２の抵抗の一端を接続し、第２の抵抗の他端及びコンデンサの他端をインピーダンス変換手段の帰還入力に接続することで、インピーダンス変換手段の帰還入力へ帰還される信号の位相の遅れを抑制することができる、という効果が得られる。
【００１９】
また、請求項２の発明によれば、第１の抵抗及び第２の抵抗を蓄積された静電気に対する保護抵抗として用いているため、インピーダンス変換手段を静電気放電による破壊から保護することができる、という効果が得られる。
【００２０】
また、請求項３の発明によれば、インピーダンス変換手段にオペアンプを用いているため、負荷へ出力される電位をオペアンプに入力される信号と同電位にすることができる、という効果が得られる。
【００２１】
また、請求項４の発明によれば、出力回路を複数用いて、インピーダンス変換手段へ入力された信号を表示装置へ出力し、表示装置を駆動することができる、という効果が得られる。
【００２２】
また、請求項５の発明によれば、表示装置をインピーダンス変換手段の出力端から出力される信号に応じて流れる電流で駆動させることができる、という効果が得られる。
【００２３】
また、請求項６の発明によれば、液晶表示装置を用いているので、液晶素子の光透過率を変化させて、光を透過または遮光することができる、という効果が得られる。  
【図面の簡単な説明】
【００２４】
【図１】本実施の形態に係る液晶表示装置の概略構成図である。
【図２】本実施の形態に係る液晶表示装置の駆動回路の構成図である。
【発明を実施するための形態】
【００２５】
以下、図面を参照して本発明の実施の形態を詳細に説明する。
【００２６】
本実施の形態は、インピーダンス変換手段としてオペアンプを用い、液晶表示装置の駆動回路のボルテージフォロア回路に本発明を適用したものである。
【００２７】
図１に示すように、本実施の形態に係る液晶表示装置１０は、表示デバイスとしての液晶パネル１２とゲートドライバ１４とソースドライバ１６とで構成されている。
【００２８】
液晶パネル１２は、所定の間隔を隔てて対向配置された図示しない一対の透明電極の間に液晶が封入された複数の液晶セル容量１８、図１のＸ方向に一定間隔で配置されると共に、各々Ｙ方向に沿って延びるｍ本のデータ線２０１〜２０ｍ、図１のＹ方向に沿って一定間隔で配置されると共に、Ｘ方向に沿って延びるｎ本のゲート線２２１〜２２ｎ、及びｍ本のデータ線２０１〜２０ｍとｎ本のゲート線２２１〜２２ｎとの交差位置（画素位置）の近傍に各々配置された薄膜トランジスタ（以下、ＴＦＴという。）２４で構成されている。
【００２９】
各々の液晶セル容量１８の一方の透明電極は、ＴＦＴ２４のドレイン端子に接続され、他方の透明電極は、所定の基準電位ＶＣＯＭを備えた部位に接続されている。
【００３０】
各々のＴＦＴ２４のソース端子は、データ線２０に接続され、ゲート端子は、ゲート線２２に接続されている。
【００３１】
ゲートドライバ１４は、ｎ個の駆動回路を備え、駆動回路の各々は、ゲート線２２１〜２２ｎと接続されている。
【００３２】
ソースドライバ１６は、ｍ個の駆動回路２６１〜２６ｍで構成されている。
【００３３】
ｍ個の駆動回路２６１〜２６ｍの各々は、同一の構成であり、それぞれデータ線２０１〜２０ｍと接続されている。
【００３４】
次に、図２を参照してｍ個の駆動回路２６１〜２６ｍの１つについて説明する。
【００３５】
レイル・ツー・レイル（rail to rail）動作を行うオペアンプ３０の非反転入力端子は、図示しない入力信号生成部と接続され、反転入力端子は、オペアンプ３０の反転入力端子を、出力パッド２８等に蓄積された静電気の放電による破壊から保護する第１の保護抵抗３２の一端と接続されると共に、オペアンプ３０の出力端子（ＯＵＴ）から出力される位相遅れのないデータ信号を反転入力端子へ帰還させるコンデンサ３４の一端と接続されている。また、オペアンプ３０の出力端子（ＯＵＴ）は、コンデンサ３４の他端と接続されると共に、オペアンプ３０の出力端子（ＯＵＴ）を蓄積された静電気の放電による破壊から保護する第２の保護抵抗３６を介して第１の保護抵抗３２の他端及び出力パッド２８と接続されている。なお、第１の保護抵抗３２は本発明に係る第２の抵抗に対応しており、第２の保護抵抗３６は本発明に係る第１の抵抗に対応している。
【００３６】
出力パッド２８は、データ線２０を介して液晶パネル１２と接続されている。
【００３７】
次に液晶表示装置１０の動作について説明する。
【００３８】
ゲートドライバ１４からゲート線２２へゲート信号が所定時間入力されると、ゲート信号が入力されたゲート線２２と接続されている１ライン分のＴＦＴ２４がオン状態となる。
【００３９】
図示しない入力信号生成部から１または複数のオペアンプ３０の非反転入力端子に基準電位ＶＣＯＭより高い電位の入力信号が所定時間入力されると、オペアンプ３０の出力端子（ＯＵＴ）からデータ信号が出力される。
【００４０】
入力信号が入力されたオペアンプ３０の出力端子（ＯＵＴ）から出力されたデータ信号の交流成分は、コンデンサ３４を介して負帰還されてオペアンプ３０の反転入力端子へ入力される。また、オペアンプ３０の出力端子（ＯＵＴ）から出力されたデータ信号の直流成分は、第２の保護抵抗３６によって電圧降下し、入力信号と同電位の出力信号となって出力パッド２８を介して対応するデータ線２０へ入力されると共に、第１の保護抵抗３２を介してオペアンプ３０の反転入力端子へ入力される。
【００４１】
データ線２０へデータ信号が入力されると、データ線２０と接続されているＴＦＴ２４のソース端子へデータ信号が入力される。
【００４２】
ゲート信号が入力されてオン状態になったＴＦＴ２４のソース端子にデータ信号が入力されると、ＴＦＴ２４のソース端子からドレイン端子を介して液晶セル容量１８にドレイン電流が流れ、液晶セル容量１８は、充電されると共に、液晶の光透過率が変化する。これにより、液晶パネル１２に１ライン分の画像が表示される。
【００４３】
そして、ゲートドライバ１４によって、ゲート信号を入力するゲート線２２を次のラインへ切り替えて上記処理を繰り返すことで、液晶パネル１２に画像が表示される。
【００４４】
図示しない入力信号生成部から１または複数のオペアンプ３０の非反転入力端子に基準電位ＶＣＯＭより低い電位の入力信号が所定時間入力されると、オペアンプ３０の出力端子（ＯＵＴ）は、データ信号を出力する。
【００４５】
データ信号が出力された出力端子（ＯＵＴ）と第２の保護抵抗３６、出力パッド２８、データ線２０、及びＴＦＴ２４を介して接続されている液晶セル容量１８のうち、オンしているＴＦＴ２４のドレイン端子と接続されている液晶セル容量１８は、充電されていた電荷が放電されると共に、液晶の光透過率が変化する。
【００４６】
液晶セル容量１８から放電された放電電流は、データ線２０、出力パッド２８、第２の保護抵抗３６、及びオペアンプ３０の出力端子（ＯＵＴ）を介してオペアンプ３０内のグランドへ流れると共に、データ線２０、出力パッド２８、及び第１の保護抵抗３２を介してオペアンプ３０の反転入力端子へ流れる。
【００４７】
これにより、液晶パネル１２に表示された１ライン分の画像を非表示にする。
【００４８】
そして、ゲートドライバ１４によって、ゲート信号を入力するゲート線２２の次のラインへ切り替えて上記処理を繰り返すことで、液晶パネル１２に表示された画像を非表示にする。
【００４９】
以上説明したように、本実施の形態に係る液晶表示装置は、オペアンプの反転入力端子を、第１の保護抵抗及び第２の保護抵抗を介して出力端子と接続すると共に、コンデンサを介して出力端子と接続しているので、直流成分については、出力パッドに出力される電圧が、保護抵抗によって電圧降下されて入力電圧と同電位になると共に、交流成分については、反転入力端子と出力端子との間に接続されたコンデンサによって、オペアンプの出力端子から出力される出力信号が負帰還されることから、発振条件を満たさなくなるので、オペアンプの発振安定性を維持することができる。
【００５０】
なお、本実施の形態では、液晶パネル１２を用いた場合を説明したが、ＦＥＤ（電界放出ディスプレイ）、プラズマディスプレイ、有機ＥＬディスプレイ等の他のディスプレイに適用することもできる。
【００５１】
また、本実施の形態では、レイル・ツー・レイル（rail to rail）動作を行うオペアンプ３０を用いた場合を説明したが、レイル・ツー・レイル（rail to rail）動作を行うオペアンプに代えてシンク・アンド・ソース（Sink & Source）型のオペアンプを用いてもよい。
【００５２】
さらに、本実施の形態では、インピーダンス変換手段としてオペアンプを用いた場合を説明したが、オペアンプに代えて減衰器を用いてもよい。
【符号の説明】
【００５３】
１０  液晶表示装置
１２  液晶パネル
１４  ゲートドライバ
１６  ソースドライバ
１８  液晶セル容量
２０  データ線
２２  ゲート線
２４  薄膜トランジスタ
２６  駆動回路
２８  出力パッド
３０  オペアンプ
３２  第１の保護抵抗
３４  コンデンサ
３６  第２の保護抵抗
ＶＣＯＭ  基準電位
【図１】
2010226692.tif 000003
【図２】
2010226692.tif 000004